(57)【特許請求の範囲】
【請求項１】
炊飯器本体の外装体内に内ケースを設け、該内ケース内に内鍋を収容し、電気加熱部材で加熱するとともに、上記内ケースの外周に断熱体を設け、該断熱体に、通気性のある断熱基材と通気を遮断する遮断シートとを貼り合わせた遮断シート付き断熱材を内外方向に少なくとも３組重合させたものを使用してなる電気炊飯器であって、上記内外方向３組の遮断シート付き断熱材は、内側のものよりも外側のものが順次厚さが厚くなっているとともに、中間に位置する遮断シート付き断熱材は、上下両端側で上記外装体側および内ケース側の所定の取り付け部材により支持されることによって、それよりも内側および外側の各遮断シート付き断熱材との間に所定の断熱空気層を形成していることを特徴とする電気炊飯器。
【請求項２】
炊飯器本体の外装体内に内ケースを設け、該内ケース内に内鍋を収容し、電気加熱部材で加熱するとともに、上記内ケースの外周に断熱体を設け、該断熱体に、通気性のある断熱基材と通気を遮断する遮断シートとを貼り合わせた遮断シート付き断熱材を内外方向に少なくとも３組重合させたものを使用し、同内外方向３組の遮断シート付き断熱材の相互間に所定の断熱空気層を設けてなる電気炊飯器であって、上記所定の断熱空気層は、中間に位置する遮断シート付き断熱材を曲成させることにより、上記内外方向３組の遮断シート付き断熱材相互間の上下方向に部分的に画成して設けられていることを特徴とする電気炊飯器。
【発明の詳細な説明】
【技術分野】
【０００１】
本願発明は、炊飯器本体内に収容した内鍋を電気加熱部材で加熱するようにした電気炊飯器に関するものである。
【背景技術】
【０００２】
電気炊飯器は、外装体と内ケースを有した炊飯器本体の上部に蓋体を載置しているとともに、内ケースの内部に内鍋を出し入れ自在に収容している。又、内ケースの底部には、電気加熱部材（電気ヒータや電磁誘導加熱コイル等）が設けられていて、内ケース内に収容される内鍋を加熱し得るようになっている。
【０００３】
ところで、この種の電気炊飯器では、加熱した内鍋からの放熱を防止するために、内ケースの外周に断熱材を配置している場合が多い。尚、電気炊飯器の内ケース外周に断熱材を設置した公知例としては、特開２００１−１７８６２１号公報（特許文献１）に示されるものがある。
【０００４】
従来の電気炊飯器（例えば上記特許文献１のもの）では、上記断熱材として一般にガラスウール製のものが用いられており、該ガラスウール製断熱材を炊飯器本体内における内ケースの外周に巻付けて設置している。
【０００５】
尚、この種の電気炊飯器では、内ケースの外周面に内鍋を加熱（保温）するための保温ヒータを設置しているものが多いが、断熱材を保温ヒータの外側に巻付けて設置する場合は、該断熱材として耐熱性のあるもの（ガラスウール製）が使用される。
【０００６】
ところで、上記したガラスウール製の断熱材は、ガラスウール繊維を絡ませて所定厚さの１枚物に成形したものであるが、該ガラスウール製断熱材では、各繊維間に微細な隙間があって、そのままでは該繊維間を空気が通過する（通気性がある）性状を有している。
【０００７】
【特許文献１】特開２００１−１７８６２１号公報
【発明の開示】
【発明が解決しようとする課題】
【０００８】
ところが、上記の電気炊飯器のように、ガラスウール製断熱材をそのまま内ケースの外周に巻付けたものでは、該ガラスウール製断熱材が通気性を有しているために、内ケース側からの熱気が該断熱材を厚さ方向外側に通過してしまう。従って、ガラスウール製断熱材では、耐熱性はあるものの、内ケースからの熱気が断熱材外方に通過する（外部に逃げてしまう）ので断熱効率が低い（熱損失が大きい）ものであった。
【０００９】
そこで、本願発明は、電気炊飯器の内ケース外周に設置される断熱体を改善して、該断熱体による耐熱性と断熱性の両機能を確保できるようにした電気炊飯器を提供することを目的としてなされたものである。
【課題を解決するための手段】
【００１０】
本願発明は、上記従来の問題を解決するための手段として次の構成を有している。尚、本願発明は、電気炊飯器を対象にしている。
【００１１】
［本願請求項１の発明］
本願請求項１の発明は、炊飯器本体の外装体内に内ケースを設け、該内ケース内に内鍋を収容し、電気加熱部材で加熱するとともに、上記内ケースの外周に断熱体を設け、該断熱体に、通気性のある断熱基材と通気を遮断する遮断シートとを貼り合わせた遮断シート付き断熱材を内外方向に少なくとも３組重合させたものを使用してなる電気炊飯器であって、上記内外方向３組の遮断シート付き断熱材は、内側のものよりも外側のものが順次厚さが厚くなっているとともに、中間に位置する遮断シート付き断熱材は、上下両端側で上記外装体側および内ケース側の所定の取り付け部材により支持されることによって、それよりも内側および外側の各遮断シート付き断熱材との間に所定の断熱空気層を形成していることを特徴としている。
【００１２】
本願請求項１の発明の電気炊飯器に使用されている断熱体は、内鍋からの熱が無駄に外部に放出されるのを防止するためのもので、該断熱体は内ケースの外面の全周を囲繞するように設置することが好ましい。
【００１３】
この断熱体には、通気性のある断熱基材と通気を遮断する遮断シートとを貼り合わせた遮断シート付き断熱材を使用しているが、上記断熱基材としては、例えば所定厚さを有するガラスウール製のものが採用でき、上記遮断シートとしては通気を遮断するものであれば適宜の薄シート（例えば合成樹脂シート）が採用できる。尚、上記断熱基材は、実質的に断熱部となるもので、厚さ方向に通気性を有しているが十分な耐熱性を有したものである。
【００１４】
内鍋を加熱するための電気加熱部材としては、主加熱手段として電気ヒータや電磁誘導加熱コイルが用いられる。又、内ケースの側部外周面には、副加熱手段として内鍋を保温するための保温ヒータが設けられているものが多い。そして、炊飯時には、同保温ヒータによっても内鍋がかなり高温まで加熱される一方、保温時には、必要な保温温度まで加熱される。
【００１５】
上記断熱体には、通気性のある断熱基材と通気を遮断する遮断シートとを張り合わせた遮断シート付き断熱材が採用され、例えばその断熱基材（ガラスウール製）が内側で遮断シートが外側に向く状態で内ケース外周に設置される。この場合、ガラスウール製の断熱基材が内ケースの外周面（高温になる）に接触（又は近接）するが、炊飯時又は保温時に内ケースが高温になっても、断熱基材（ガラスウール製）には耐熱性があるので断熱体が熱変形したり熱劣化したりすることがない。
【００１６】
又、ガラスウール製の断熱基材では、通気性があるので内ケースからの熱が断熱基材中（ガラスウール繊維間の隙間）に浸透するが、該断熱基材の外面に遮断シートが貼設されているので、断熱基材中に浸透した熱がその外面から外部に放出されるのを阻止できる（断熱基材中に蓄熱できる）。
【００１７】
他方、ガラスウール製の断熱基材では、水の浸透性が非常に高く、もし外装体側から本体内に水が侵入して該侵入水が断熱基材に接触すると、断熱基材が侵入水を吸収してしまうが、断熱基材の外面に遮断シートを貼設したものでは、該侵入水が該遮断シートで阻止されて断熱基材中に吸収されにくくなる。
【００１８】
又、断熱基材（ガラスウール製）の外面に遮断シートを貼設した断熱体では、断熱基材のガラスウール繊維面が遮断シートで被覆されているとともに、該遮断シート被覆面が平滑となっている。従って、断熱基材の遮断シート貼設面からガラスウール繊維屑が分離（飛散）しなくなり、且つ組立時に断熱体の遮断シート貼設面に他の部品が引っ掛かからない。尚、断熱基材の内面側は、ガラスウール繊維が露出したままであるが、該断熱基材の内面は内ケースの外面（又はその外周の保温ヒータの外面）に接触しているので、ガラスウール繊維屑が分離（飛散）しにくい。
【００１９】
本願請求項１の発明の構成では、そのような構成および作用を有する遮断シート付き断熱材を、さらに内外方向に少なくとも３組重合させたものを使用していることを特徴としている。
【００２０】
この遮断シート付き断熱材の重合枚数は、複数組重合させることが好ましく、特に少なくとも３組重合させるようにすると、各遮断シート付き断熱材の１枚当たりの厚さを薄くしたもの使用することができ、また厚さの薄い遮断シート付き断熱材を内外方向に重合させるようにすると、同じ厚さ（複数枚の遮断シート付き断熱材の合計の厚さ）の単層体のものよりも断熱機能が大きく向上する。
【００２１】
しかも、その場合において、それら３組の遮断シート付き断熱材は、それぞれの厚さを内側のものから外側のものにかけて順次厚くしている。
【００２２】
つまり、一般に保温ヒータが巻成されている内ケース外周面に対して直接巻き付けられるなどして設けられる最内側の断熱材は最も厚さが薄く、例えば保温ヒータの凹凸などに対して柔軟に対応変形して同保温ヒータを隙間なく覆うように取り付けられて、保温ヒータの熱が内ケースに対して確実かつ効果的に伝達されるように構成して外方側と断熱する。
【００２３】
次に、中間に位置する遮断シート付き断熱材は、内側の遮断シート付き断熱材よりは厚いが外側の遮断シート付き断熱材よりは薄く形成されていて、上下両端側で外装体側および内ケース側の所定の取り付け部材により支持されることによって、内側および外側の遮断シート付き断熱材との間に所定の断熱空気層を形成している。
【００２４】
このため、その内外両側に断熱空気層による有効な断熱空間が形成され、同部分には、中間に位置する遮断シート付き断熱材自身の厚みによる断熱部と合わせて内外方向に３重の断熱部を形成することができる。
【００２５】
さらに、設置スペースの自由度も大きい外方の外側遮断シート付き断熱材は、所望に厚さが厚くなるように形成されており、季節に応じて温度が大きく変動する炊飯器本体外方からの外気に対して有効な断熱作用を果たすようになっている。
【００２６】
したがって、このような構成の場合、内ケースと外装体との間には、上記中間の遮断シート付き断熱材による両端側の断熱空気層と合わせて、結局内外方向に５重の断熱部が形成されることになり、極めて断熱機能の高い構造となる。
【００２７】
［本願請求項２の発明］
本願請求項２の発明は、炊飯器本体の外装体内に内ケースを設け、該内ケース内に内鍋を収容し、電気加熱部材で加熱するとともに、上記内ケースの外周に断熱体を設け、該断熱体に、通気性のある断熱基材と通気を遮断する遮断シートとを貼り合わせた遮断シート付き断熱材を内外方向に少なくとも３組重合させたものを使用し、同内外方向３組の遮断シート付き断熱材の相互間に所定の断熱空気層を設けてなる電気炊飯器であって、上記所定の断熱空気層は、中間に位置する遮断シート付き断熱材を曲成させることにより、上記内外方向３組の遮断シート付き断熱材相互間の上下方向に部分的に画成して設けられていることを特徴としている。
【００２８】
本願請求項２の発明の電気炊飯器に使用されている断熱体は、内鍋からの熱が無駄に外部に放出されるのを防止するためのもので、該断熱体は内ケースの外面の全周を囲繞するように設置することが好ましい。
【００２９】
この断熱体には、通気性のある断熱基材と通気を遮断する遮断シートとを貼り合わせた遮断シート付き断熱材を使用しているが、上記断熱基材としては、例えば所定厚さを有するガラスウール製のものが採用でき、上記遮断シートとしては通気を遮断するものであれば適宜の薄シート（例えば合成樹脂シート）が採用できる。尚、上記断熱基材は、実質的に断熱部となるもので、厚さ方向に通気性を有しているが十分な耐熱性を有したものである。
【００３０】
内鍋を加熱するための電気加熱部材としては、主加熱手段として電気ヒータや電磁誘導加熱コイルが用いられる。又、内ケースの側部外周面には、副加熱手段として内鍋を保温するための保温ヒータが設けられているものが多い。そして、炊飯時には、同保温ヒータによっても内鍋がかなり高温まで加熱される一方、保温時には、必要な保温温度まで加熱される。
【００３１】
上記断熱体には、通気性のある断熱基材と通気を遮断する遮断シートとを張り合わせた遮断シート付き断熱材が採用され、例えばその断熱基材（ガラスウール製）が内側で遮断シートが外側に向く状態で内ケース外周に設置される。この場合、ガラスウール製の断熱基材が内ケースの外周面（高温になる）に接触（又は近接）するが、炊飯時又は保温時に内ケースが高温になっても、断熱基材（ガラスウール製）には耐熱性があるので断熱体が熱変形したり熱劣化したりすることがない。
【００３２】
又、ガラスウール製の断熱基材では、通気性があるので内ケースからの熱が断熱基材中（ガラスウール繊維間の隙間）に浸透するが、該断熱基材の外面に遮断シートが貼設されているので、断熱基材中に浸透した熱がその外面から外部に放出されるのを阻止できる（断熱基材中に蓄熱できる）。
【００３３】
他方、ガラスウール製の断熱基材では、水の浸透性が非常に高く、もし外装体側から本体内に水が侵入して該侵入水が断熱基材に接触すると、断熱基材が侵入水を吸収してしまうが、断熱基材の外面に遮断シートを貼設したものでは、該侵入水が該遮断シートで阻止されて断熱基材中に吸収されにくくなる。
【００３４】
又、断熱基材（ガラスウール製）の外面に遮断シートを貼設した断熱体では、断熱基材のガラスウール繊維面が遮断シートで被覆されているとともに、該遮断シート被覆面が平滑となっている。従って、断熱基材の遮断シート貼設面からガラスウール繊維屑が分離（飛散）しなくなり、且つ組立時に断熱体の遮断シート貼設面に他の部品が引っ掛かからない。尚、断熱基材の内面側は、ガラスウール繊維が露出したままであるが、該断熱基材の内面は内ケースの外面（又はその外周の保温ヒータの外面）に接触しているので、ガラスウール繊維屑が分離（飛散）しにくい。
【００３５】
本願請求項２の発明の構成では、そのような構成および作用を有する遮断シート付き断熱材を、さらに内外方向に少なくとも３組重合させたものを使用している。
【００３６】
この遮断シート付き断熱材の重合枚数は、複数組重合させることが好ましく、特に少なくとも３組重合させるようにすると、各遮断シート付き断熱材の１枚当たりの厚さを薄くしたもの使用することができ、また厚さの薄い遮断シート付き断熱材を内外方向に重合させるようにすると、同じ厚さ（複数枚の遮断シート付き断熱材の合計の厚さ）の単層体のものよりも断熱機能が大きく向上する。
【００３７】
そして、本願請求項２の発明の構成の場合、同少なくとも３組の遮断シート付き断熱材相互間、つまり中間に位置する断熱材の両側には所定の断熱空気層を形成している。
【００３８】
このような構成によると、中間に位置する断熱材の内外方向両側に所定の断熱空気層による有効な断熱空間が形成され、自身の厚みによる断熱部と合わせて結局内外方向に３重の断熱部を形成することができる。
【００３９】
したがって、このような構成の場合、上記中間の遮断シート付き断熱材による両端側の断熱空気層と合わせて、結局内外方向に５重の断熱部が形成されることになり、極めて断熱機能の高い構造となる。
【００４０】
しかも、それら少なくとも３組の遮断シート付き断熱材相互の間に設けられている断熱空気層は、内外方向中間部の遮断シート付き断熱部材を曲成させることにより、上下方向に部分的に画成して設けられていることを特徴としている。
【００４１】
このように中間断熱部材両側の各断熱空気層が上下方向に部分的に画成されていると、外部および相互間の空気の移動、流通がないので、全体が連通している場合に比べて、より断熱機能が向上する。この結果、さらに断熱機能が向上する。
【００４２】
この場合、上記中間に位置する遮断シート付き断熱材は、例えば上下両端側で上記炊飯器本体の外装体側および内ケース側の所定の取り付け部材により支持するようにすれば、曲成状態を容易かつ確実に維持することができ、内側および外側の各遮断シート付き断熱材との間に確実に所定の断熱空気層を実現することができる。
【発明の効果】
【００４３】
以上の結果、本願請求項１，２の発明によると、それら何れの発明にあっても、内ケース外周部分の断熱性能を大きく向上させることができ、極めて省エネ性能の高い電気炊飯器を提供することが可能となる。
【発明を実施するための最良の形態】
【００４４】
以下、図１〜図６を参照して本願発明の参考例および実施形態を説明する。先ず図１〜図４には本願発明の参考例に係る電気炊飯器の構成を示し、図５〜図６には本願発明の実施形態に係る電気炊飯器の構成を示している。
【００４５】
［図１〜図４の参考例の構成］
この電気炊飯器は、例えば図１〜図２に示すように、炊飯器本体１の上部に蓋体２を載置しているとともに、炊飯器本体１の内部に内鍋１５を出し入れ自在に収納している。
【００４６】
炊飯器本体１は、外装体１０と内ケース１４とを有している。外装体１０と内ケース１４との間には、各種部材を設置するためのスペースＳが設けられている。
【００４７】
外装体１０は、胴部を構成する筒状の外ケース１１と、外ケース１１の下部に取付けた皿状の底部材１２とを有している。この参考例のものでは、外ケース１１の上部に環状の肩部１３が一体に成形されている。そして、底部材１２と外ケース１１とは、底部材外周部の立上げ壁に外ケース下端部を無理嵌めして結合されている。尚、この参考例の電気炊飯器では、外ケース１１（肩部１３を含む）及び底部材１２はそれぞれ合成樹脂製である。
【００４８】
内ケース１４は、この参考例のものでは、金属製で深容器形のものが採用されている。この内ケース１４は、内鍋１５の外径より僅かに大径の側周部１４ａの下部に該側周部１４ａより若干小径で所定小高さの下方突出部１４ｂを有している。そして、この内ケース１４は、底部材１２に複数箇所（例えば４箇所）でビス固定（（図１の符号１６）されている。
【００４９】
外装体１０と内ケース１４との間の前部側（図２の左側）のスペースには、制御基盤５が設けられている。
【００５０】
内ケース１４の下方突出部１４ｂ内には、内鍋１５を加熱するための電気加熱部材３が設けられている。この参考例では、電気加熱部材３として熱盤をヒータ線で加熱するようにした電気ヒータ３１が採用されている。尚、電気ヒータ３１の高さ（厚さ）と内ケース１４の下方突出部１４ｂの側壁１４ｃの高さはほぼ同高さであり、該電気ヒータ３１全体が内ケース下方突出部１４ｂ内に収容されている。
【００５１】
電気ヒータ３１の場合は、リード線接続用の２つの端子３２，３２があるが、この両端子３２，３２は、図２及び図３に示すように内ケース１４の下方突出部１４ｂの側壁１４ｃに設けた挿通穴１４ｄから外方に臨ませている。この両端子３２，３２の外方臨出位置は、炊飯器本体１の前部側であり、該両端子３２，３２と前部側に設置している制御基盤５とを接続し易くしている。尚、以下の説明では、電気ヒータ３１の端子３２を単にヒータ端子ということがある。
【００５２】
各ヒータ端子３２，３２には、図２及び図３に示すようにヒータ端子３２部分を露出させた状態でヒータ端子の付け根部分に被せるためのキャップ３３，３３が取付けられる。
【００５３】
内ケース１４の側周部１４ａの外面には、保温ヒータ３５が取付けられている。この保温ヒータ３５は、内ケース側周部１４ａの外面の全周に巻付けてられていて、該保温ヒータ３５からの熱で内ケース側周部１４ａを介して内鍋１５を加熱（保温）し得るようになっている。
【００５４】
内鍋１５は、内ケース１４内に出し入れ自在に収納される。この参考例では、内鍋１５として金属製のものが採用されている。
【００５５】
内ケース１４の底部中央には、内鍋１５の温度を検出する温度センサー１７が設けられている。
【００５６】
蓋体２は、外蓋２１と、該外蓋２１の下面において内鍋１５の開口縁を開閉する内蓋２２とを有している。外蓋２１には、蒸気抜き通路２３が形成されている。
【００５７】
そして、この蓋体２は、炊飯器本体１の後側上部においてヒンジユニット８（図２）で枢支されていて、前部側が弧回動開閉されるようになっている。
【００５８】
尚、図１及び図２において符号９は把手であり、該把手９は左右の軸部９ａ，９ａ（図１）を中心にして上下に弧回動させ得るようになっている。
【００５９】
外装体１０と内ケース１４との間のスペースＳ内には、断熱体４が設置されている。この参考例では、断熱体４として、内ケース１４の側周部１４ａの外面に巻付けて設置された内側断熱材４１と該内側断熱材４１の外面に配置された外側断熱材４２との内外２重のものを採用している。
【００６０】
この内外各断熱材４１，４２は、図４に拡大図示するように、それぞれ通気性を有した断熱基材ａと通気を遮断する遮断シートｂとを貼り合わせた遮断シート付き断熱材が採用されている。
【００６１】
各断熱基材ａ，ａは、実質的な断熱部として機能するもので、それぞれガラスウール製である。この各断熱基材ａ，ａは、ガラスウール繊維を絡ませて所定厚さ（図示例のものでは厚さが１０〜１２mm程度）に成形したもので、耐熱性を有しているとともに各繊維間に隙間があるので通気性を有している。
【００６２】
各遮断シートｂ，ｂは、それぞれ合成樹脂製（例えばポリエチレンテレフタート製）の薄シートが採用されていて、通気を遮断し得るものである。
【００６３】
そして、この内外の各遮断シート付き断熱材４１，４２は、それぞれ断熱基材ａの外面全面に遮断シートｂを貼設して形成されている。
【００６４】
内側断熱材（遮断シート付き断熱材）４１は、外装体１０の肩部１３の直下近傍位置から底部材１２の底部上面に達する高さを有し、内ケース１４の側周部１４ａの外面全周に巻付けて設置されている。外側断熱材（遮断シート付き断熱材）４２は、内側断熱材４１よりやや短い高さで、該内側断熱材４１の外面の約３／４周の範囲（図３参照）に巻付けて設置されている。尚、この外側断熱材４２は、その周方向の開放部（周方向の１／４部分）が炊飯器本体１の前部側に向くように設置されている。そして、内側断熱材４１と外側断熱材４２とは、その各上面高さを同じに揃えた状態で設置されており、従って外側断熱材４２の下面高さが内側断熱材４１の下面高さよりやや高くなっている。
【００６５】
内側断熱材４１の前部側下端位置には、図２及び図３に示すように両ヒータ端子３２，３２を外方に臨ませるための切欠（開口部）４１ａが形成されている。
【００６６】
又、この参考例の電気炊飯器では、電気ヒータ３１の設置高さ位置で内ケース下方突出部１４ｂの側壁１４ｃと内側断熱材４１との間に別の下部断熱材４３が設置されている。この下部断熱材４３は、内ケース下方突出部１４ｂの側壁１４ｃ外面と内側断熱材４１の内面間の間隔とほぼ同厚さで高さの低い筒状のものが採用されている。又、この下部断熱材４３は、図４に拡大図示するように、上記内側断熱材４１（又は外側断熱材４２）と同様にガラスウール製（通気性がある）の断熱基材ａの外面に合成樹脂シート製（通気を遮断する）の遮断シートｂを貼設したものが使用されている。
【００６７】
この下部断熱材４３は、内ケース下方突出部１４ｂの側壁１４ｃ全周を囲繞する状態で設置されている関係で、上記各ヒータ端子３２，３２を下部断熱材４３の外面まで突出させるための工夫が必要であるが、この参考例のものでは、図３に示すように下部断熱材４３における各ヒータ端子３２，３２が対応する位置に上面側から所定深さに達する切り込み（スリット）４４，４４を設けている。この各スリット４４，４４部分は、下部断熱材４３が軟質（ガラスウール製）であるので容易に開く（広げる）ことができる。そして、組付時に、各スリット４４，４４部分を各ヒータ端子３２，３２の付け根部分に対応させた状態で下部断熱材４３を上方に押込むことにより、各ヒータ端子３２，３２をそれぞれスリット４４，４４内に挿入させることができるようになっている。
【００６８】
下部断熱材４３の外面には、図２及び図３に示すようにスリット４４，４４の形成部分に薄肉部４５を形成している。この薄肉部４５は、下部断熱材４３の下端からヒータ端子３２の突出位置を若干越える高さの範囲で形成されている。尚、この薄肉部４５の外面にも上記遮断シートｂが貼設されている。
【００６９】
この薄肉部４５の外面には、板状の絶縁部材３４があてがわれる。この絶縁部材３４の高さ幅は薄肉部４５の高さとほぼ同じである。この絶縁部材３４には、図３に示すように各ヒータ端子３２，３２の付け根部分を嵌入させるための切欠３４ａ，３４ａが形成されている。この各切欠３４ａ，３４ａは、ヒータ端子３２のキャップ３３の外径よりやや狭い幅で、絶縁部材３４の上縁から所定深さに達する凹状に形成されている。
【００７０】
そして、この絶縁部材３４は、次のようにして組付けられる。尚、絶縁部材３４の組付け前には、図３に示すように各ヒータ端子３２，３２から各キャップ３３，３３を取り外しておく。
【００７１】
絶縁部材３４の組付けに際しては、炊飯器本体１側において底部材１２以外の各部材を組付けた状態で行う。即ち、下部断熱材４３を内ケース下方突出部１４ｂの側壁１４ｃの外周に組付けた後（各ヒータ端子３２，３２がそれぞれスリット４４，４４部分から薄肉部４５の外方に突出している）、絶縁部材３４の各切欠３４ａ，３４ａをそれぞれヒータ端子３２，３２の直下に対応させた状態で該絶縁部材３４を薄肉部４５の外面に沿わせて上方移動させることにより、各切欠３４ａ，３４ａが各ヒータ端子３２，３２の付け根部分に嵌合する。その後、各ヒータ端子３２，３２にそれぞれキャップ３３，３３を被せることにより、絶縁部材３４を各キャップ３３，３３と薄肉部４５の前面との間で挟持させることができる。
【００７２】
その後、外ケース１１の下端に底部材１２を組付けると炊飯器本体１の組立が完成するが、底部材１２の組付状態では、図２に示すように絶縁部材３４の下端が底部材１２の上面に接触し、且つ絶縁部材３４の各切欠３４ａ，３４ａの底部が各ヒータ端子３２，３２の付け根部分に当接し（絶縁部材３４が上動できない）、しかも絶縁部材３４の前面が各キャップ３３，３３で押えられているので、該絶縁部材３４は安定状態で組付けられている。
【００７３】
尚、この参考例では、断熱体４として内側断熱材４１と外側断熱材４２の２重に重合させたものを採用しているが、他の例では、該断熱体４は、単層のものでもよい。又、さらに他の例では、下部断熱材４３を省略したものでもよい。
【００７４】
次に、図１〜図４に示す電気炊飯器の作用について説明する。
【００７５】
この電気炊飯器では、断熱体４として内側断熱材４１と外側断熱材４２を２重に重合させたものを使用しているが、この内側断熱材４１と外側断熱材４２は、それぞれガラスウール製（通気性がある）の断熱基材ａの外面に通気を遮断する遮断シートｂを貼設した遮断シート付き断熱材である。そして、内側断熱材４１と外側断熱材４２とは、断熱基材ａが内側で遮断シートｂが外側に向く状態で設置されている。
【００７６】
ところで、炊飯時又は保温時には、電気ヒータ３１や保温ヒータ３５により内ケース１４が間接的又は直接的に加熱されて高温になるが、該内ケース１４外周には内側断熱材４１の断熱基材ａ（ガラスウール製で耐熱性が高い）が接触しているので、断熱体４（特に内側断熱材４１）に熱変形や熱劣化等の悪影響は起きない。
【００７７】
又、内外各断熱材４１，４２の内面側がガラスウール製の断熱基材ａであると、該断熱基材部分に通気性があるので内ケース１４からの熱が断熱基材（特に内側断熱材４１の断熱基材ａ）中に浸透するが、該断熱基材ａの外面に遮断シートｂが貼設されているので、断熱基材中に浸透した熱がその外面から外部に放出されるのを阻止できる（断熱基材中に蓄熱できる）。従って、単にガラスウールのみの断熱材を使用したものより断熱効果が格段に良好となる（熱損失が少なくなる）。
【００７８】
又、断熱基材ａの外面に遮断シートｂを貼設した内外各断熱材（遮断シート付き断熱材）４１，４２では、外面側の遮断シートｂが防水機能を発揮するので、もし外装体１０内に水が侵入したときでも該侵入水が断熱基材ａに吸収されるのを防止できる。
【００７９】
又、この内外各断熱材（遮断シート付き断熱材）４１，４２では、断熱基材外面側のガラスウール繊維面が遮断シートｂで被覆されているので、断熱基材ａの遮断シート貼設面からガラスウール繊維屑が分離（飛散）しない。
【００８０】
又、断熱基材ａの外面に遮断シートｂを貼設した遮断シート付き断熱材４１，４２では、各断熱材４の外面が平滑面となるので、組立時に断熱材外面（遮断シート）に他の部品類が引っ掛かりにくくなり、組立作業性が良好になる。
【００８１】
又、断熱体４として内外２重の遮断シート付き断熱材４１，４２を重合させたものを使用すると、同じ厚さの単層のものより断熱機能が向上する。
【００８２】
又、内側断熱材４１と内ケース下方突出部１４ｂ（電気ヒータ３１が収容されている）の側壁１４ｃとの間に別の下部断熱材４３を設置すると、該下部断熱材４３により電気ヒータ３１の外周部分（内ケース下方突出部１４ｂの側壁１４ｃ部分）からの放熱も遮断できる。
【００８３】
又、ヒータ端子３２，３２を下部断熱材４３の外側面より外方に突出させたものにおいて、ヒータ端子３２，３２と下部断熱材４３の外面との間に絶縁部材３４を設置していると、もし外装体１０内に水が侵入して下部断熱材４３の断熱基材ａが水を吸収しても、絶縁部材３４によりその吸収水が各ヒータ端子３２，３２に接触するのを阻止でき、各ヒータ端子３２，３２間が短絡するのを防止できる。
【００８４】
［図５〜図６の本願発明の実施形態の構成］
この本願発明の実施形態の電気炊飯器は、いわゆるＩＨ炊飯器と称されるもので、電気加熱部材３として電磁誘導加熱コイル（ワークコイル）３６，３７を使用している。又、この本願発明の実施形態の電気炊飯器も、上記参考例と同様に、外装体１０内に内ケース１４を収容した炊飯器本体１の上部に蓋体２を弧回動開閉自在に載置している。
【００８５】
外装体１０は、金属製の外ケース１１の下部に合成樹脂製の底部材１２を組付ける一方、該外ケース１１の上部に合成樹脂製の肩部材１３を組付けて構成されている。
【００８６】
内ケース１４は、合成樹脂製で皿状の底材１４Ａの上部に金属製で筒状の側壁１４Ｂを組付けたものが採用されている。筒状の側壁１４Ｂの外周面には、保温ヒータ３５が設置されている。
【００８７】
電気加熱部材３となるワークコイルは、内鍋１５の底面を加熱する内側ワークコイル３６と内鍋１５の底隅の湾曲部を加熱する外側ワークコイル３７との内外２組使用されている。
【００８８】
内鍋１５には、例えばセラミック製のもの（いわゆる土鍋）が使用されている。内鍋１５に非金属製のもの（土鍋）を使用する場合は、該内鍋１５の外面における上記各ワークコイル３６．３７に対面する位置に、それぞれ誘導発熱体（例えば銀ペースト）１８Ａ，１８Ｂを貼設（又は塗布）しておく。尚、内鍋１５として、各ワークコイル３１，３２から電磁誘導加熱が可能な金属製のものを採用した場合には、各誘導発熱体１８Ａ，１８Ｂは不要となる。
【００８９】
尚、図５〜図６において、符号７はワークコイル冷却用のファン、１９は底側の誘導発熱体１８Ａからの熱を遮断する遮熱板１９である。又、図５〜図６において、上記参考例の各図の符号と同じ符号のものは、同参考例の当該部位と同じものである。
【００９０】
この実施形態の電気炊飯器にも、外装体１０と内ケース１４との間のスペースＳ内に断熱体４を設けているが、この実施形態の場合は、該断熱体４として内ケース１４の側壁１４Ｂの外周に内外３重の断熱材４６〜４８を巻付けたものを採用している。即ち、この実施形態の断熱体４は、内側断熱材４６と中間断熱材４７と外側断熱材４８とを３重に巻付けて構成されている。
【００９１】
この３重の各断熱材４６〜４８は、上記参考例の内側断熱材４１（又は外側断熱材４２）と同様に、ガラスウール製（通気性がある）の断熱基材ａの外面に通気を遮断する遮断シートｂを貼着させた遮断シート付き断熱材である。従って、この各断熱材４６〜４８でも、断熱基材ａ部分は耐熱性がある一方で通気性を有しており、遮断シートｂ部分は通気を遮断する機能を有している。
【００９２】
ここで、内側断熱材４６は３mm程度の厚さで、中間断熱材４７は５mm程度の厚さで、外側断熱材４８は１０mm程度の厚さである。つまり、内外方向３組の遮断シート付き断熱材４６，４７，４８は、内側のものよりも外側のものが順次厚さが厚くなっている。そして、内側断熱材４６は、内ケース１４の側壁１４Ｂ外周の保温ヒータ３５を囲繞するように設置されており、中間断熱材４７及び外側断熱材４８は、順次内側断熱材４６の外側全周に巻付けて設置している。
【００９３】
又、内側断熱材４６と中間断熱材４７間、及び中間断熱材４７と外側断熱材４８間には、それぞれ空気層Ｍ，Ｍ，Ｎを設けている。即ち、中間断熱材４７の上下方向中央部は上記内側断熱材４６の外周に重合されているが、上端部側及び下端部側は、それぞれ炊飯器本体の肩部１３側下部に設けられた取付支持部材であるスペーサー４９Ａ，内ケース１４の皿状の底部材１４Ａの上端側に設けられたスペーサー４９Ｂによって上下両端部が外方向に屈曲（曲成）されており、該中間断熱材４７の上部側及び下部側と内側断熱材４６間にそれぞれ部分的に画成された空気層Ｍ，Ｍを設けているとともに、中間断熱材４７の上下方向中間部分と外側断熱材４８との間にも部分的に外部と画成された空気層Ｎを設けている。
【００９４】
尚、この実施形態では、電気加熱部材３として電磁誘導加熱コイル（ワークコイル）３６，３７を使用しているが、このワークコイル３６，３７は高温に弱く、炊飯時にはワークコイル設置部分をファン７による風で冷却する必要がある関係で、この実施形態では上記参考例で使用している下部断熱材４３は設けない。
【００９５】
この実施形態の電気炊飯器でも、断熱体４となる各断熱材４６〜４８には遮断シート付き断熱材を使用しているので、上記参考例の当該機能を有しているとともに、この実施形態では、さらに各断熱材４６〜４８間に断熱空気層Ｍ，Ｍ，Ｎを設けていることにより、断熱効率がさらに一層良好になるという機能を有している。
【００９６】
以上のように、断熱体としての遮断シート付き断熱材の重合枚数は、複数組重合させることが好ましく、特に少なくとも３組重合させるようにすると、各遮断シート付き断熱材の１枚当たりの厚さを薄くしたもの使用することができ、また厚さの薄い遮断シート付き断熱材４６，４７，４８を内外方向に重合させるようにすると、同じ厚さ（複数枚の遮断シート付き断熱材４６，４７，４８の合計の厚さ）の単層体のものよりも断熱機能が大きく向上する。
【００９７】
しかも、その場合において、それら３組の遮断シート付き断熱材４６，４７，４８は、それぞれの厚さを内側のものから外側のものにかけて順次厚くしている。
【００９８】
つまり、保温ヒータ３５が巻成されている内ケース１４の外周面に対して直接巻き付けられるなどして設けられる最内側の断熱材４６は最も厚さが薄く、例えば保温ヒータ３５の凹凸などに対して柔軟に対応変形して同保温ヒータ３５を隙間なく覆うように取り付けられて、保温ヒータ３５の熱が内ケース１４に対して確実かつ効果的に伝達されるように構成して外方側と断熱する。
【００９９】
次に、中間に位置する遮断シート付き断熱材４７は、上記内側の遮断シート付き断熱材４６よりは厚いが外側の遮断シート付き断熱材４８よりは薄く形成されていて、上下両端側で外装体である本体外ケース１１側および内鍋支持部材である内ケース１４側の所定の取り付け支持部材であるスペーサ４９Ａ，４９Ｂにより支持されることによって、内側および外側の遮断シート付き断熱材４６，４８との間に所定の断熱空気層Ｍ，Ｍ，Ｎを形成している。
【０１００】
このため、その内外両側に断熱空気層Ｍ，Ｍ，Ｎによる有効な断熱空間が形成され、同部分には、中間に位置する遮断シート付き断熱材４７自身の厚みによる断熱部と合わせて内外方向に３重の断熱部を形成することができる。
【０１０１】
さらに、設置スペースの自由度も大きい外方の外側遮断シート付き断熱材４８は、所望に厚さが厚くなるように形成されており、季節に応じて温度が大きく変動する炊飯器本体外方（外ケース１１外方）からの外気に対して有効な断熱作用を果たすようになっている。
【０１０２】
したがって、このような構成の場合、内ケース１４と外ケース１１との間には、上記中間の遮断シート付き断熱材４７による両端側の断熱空気層Ｍ，Ｍ，Ｎと合わせて、結局内外方向に５重の断熱部が形成されることになり、極めて断熱機能の高い構造となる。
【０１０３】
また、以上の場合、上記断熱空気層Ｍ，Ｍ，Ｎは、炊飯器本体の肩部１３側スペーサ４９Ａ、内ケース１４の底部材１４Ａ側スペーサ４９Ｂで中間に位置する遮断シート付き断熱材４７の上下両端側を屈曲（曲成）させることにより、上記内外方向３組の遮断シート付き断熱材４６，４７，４８相互間の上下方向に部分的に画成して設けられている。
【０１０４】
このように中間断熱部材４７両側の各断熱空気層Ｍ，Ｍ，Ｎが上下方向に画成（閉鎖）して部分的に設けられていると、外部および相互間の空気の移動、流通がないので、全体が上下方向に連通している場合に比べて、より断熱機能が向上する。この結果、さらに断熱機能が向上する。
【０１０５】
しかも、この場合、上記中間に位置する遮断シート付き断熱材４７は、上下方向中央部は、上記内側断熱材４６の外周に重合されているが、その上下両端側で上記炊飯器本体の肩部１３側および内ケース１４側の所定の取り付け部材であるスペーサ４９Ａ，４９Ｂにより安定して支持されるようになっているので、屈曲（曲成）状態を容易かつ確実に維持することができ、内側および外側の各遮断シート付き断熱材４６，４８との間に確実に所定の断熱空気層Ｍ，Ｍ，Ｎを実現することができる。
【図面の簡単な説明】
【０１０６】
【図１】本願発明の参考例の電気炊飯器の左右方向中央縦断面図である。
【図２】図１の電気炊飯器の前後方向中央縦断面図である。
【図３】図１の電気炊飯器における内ケース及び断熱体部分を下方から見た状態の分解斜視図である。
【図４】図１のIV部分の拡大図である。
【図５】本願発明の実施形態の電気炊飯器の左右方向中央縦断面図である。
【図６】図５の電気炊飯器の前後方向中央縦断面図である。
【符号の説明】
【０１０７】
１は炊飯器本体、２は蓋体、３は電気加熱部材、１０は外装体、１１は外ケース、１２は底部材、１４は内ケース、１５は内鍋、３１は電気ヒータ、３２はヒータ端子、３３は絶縁キャップ、３４は絶縁部材、３５は保温ヒータ、３６，３７はワークコイル、４１は内側断熱材、４２は外側断熱材、４３は下部断熱材、４６は内側断熱材、４７は中間断熱材、４８は外側断熱材、ａは断熱基材、ｂは遮断シート、Ｍ，Ｎは断熱空気層である。
【図１】
0005359005.tif 000002
【図２】
0005359005.tif 000003
【図３】
0005359005.tif 000004
【図４】
0005359005.tif 000005
【図５】
0005359005.tif 000006
【図６】
0005359005.tif 000007